(57)【要約】【課題】脱臭フィルター或いは除菌フィルターが目詰まりしても温風暖房が良好に行われる温風暖房装置を提供する。【解決手段】温風吹出口３及び空気吸込口６を備えた機器本体１と、この空気吸込口６には通気面部３９を有するファンガード７を備え、更にこのファンガード７の内方或いは外方には、脱臭フィルター４１及び除菌フイルター４３のどちらか一方或いは両方を、前記通気面部３９との間には空気の流通隙間４４、４５を形成して設けたことで、温風暖房を行いながら室内の脱臭、又は除菌、或いはその両方が行え極めて便利であり、万一フィルターにゴミやホコリが詰まったりしても、送風は流通隙間を通って供給され、流通量が減少したり止まることがなく、温風は通常通りに行われ熱気がこもって器具本体が焼損する心配がなく安心して使用出来ると共に、使用者に頻繁なフィルターの掃除をしいる必要もなく極めて使用勝手が良いものである。【選択図】  図２
2005003228.tif 000002
【特許請求の範囲】
【請求項１】
温風吹出口及び空気吸込口を備えた機器本体と、この空気吸込口には通気面部を有するファンガードを備え、更にこのファンガードの内方或いは外方には、脱臭フィルター及び除菌フイルターのどちらか一方或いは両方を、前記通気面部との間には空気の流通隙間を形成して設けた事を特徴とする温風暖房装置。
【請求項２】
温風吹出口と空気吸込口を備えた送風経路を形成し、途中にバーナ部を設けた機器本体と、この空気吸込口には通気面部を有し送風ファンが取り付けられたファンガードを備え、更にこのファンガードの外方には、脱臭フィルターを上方に、除菌フィルターを下方に、それぞれ通気面部との間には空気の流通隙間を形成して設けた事を特徴とする温風暖房装置。
【請求項３】
前記脱臭フィルターを、光再生触媒で構成した事を特徴とする請求項１及び２記載の温風暖房装置。
【請求項４】
前記除菌フィルターを、酵素を含浸させた濾紙で構成した事を特徴とする請求項１及び２記載の温風暖房装置。
【請求項５】
前記脱臭フィルターと除菌フィルターは２つ合わせても、ファンガードの通気面部面積の半分以下の面積とした事を特徴とする請求項１から４記載の温風暖房装置。
【発明の詳細な説明】
【０００１】
【産業上の利用分野】
この発明は脱臭や除菌機能を付加した温風暖房装置に関するものである。
【０００２】
【従来の技術】
従来よりこの種のものでは、送風ファンを備えたファンガードに脱臭フィルターを設けて、温風暖房時の送風で室内空気を脱臭フィルターに通過させて、該室内空気の脱臭を行うと共に、消火時には未燃ガスを通過させることで、消火時の臭気も除去して快適な室内環境を維持しょうとするものであった。（例えば、特許文献１参照。）
【０００３】
【特許文献１】
特開平１１−２９４８６５号公報
【０００４】
【発明が解決しようとする課題】
ところでこの従来のものでは、脱臭フィルターがファンガードに密着して備えられており、又脱臭フィルターの流通抵抗はファンガードの通気面部のそれよりは遙かに大きい為に、ゴミやホコリが付着しやすく、こまめなフィルター掃除を使用者に強いることになると共に、このフィルター掃除を怠ると、脱臭フィルターが詰まり温風用の室内空気の流通が減少したり止まって、熱気が器具本体内にこもり焼損する危険を有するものであった。
【０００５】
【問題点を解決するための手段】
この発明はこの点に着目し上記欠点を解決する為、特にその構成を請求項１では、温風吹出口及び空気吸込口を備えた機器本体と、この空気吸込口には通気面部を有するファンガードを備え、更にこのファンガードの内方或いは外方には、脱臭フィルター及び除菌フイルターのどちらか一方或いは両方を、前記通気面部との間には空気の流通隙間を形成して設けたものである。
【０００６】
又請求項２では、温風吹出口と空気吸込口を備えた送風経路を形成し、途中にバーナ部を設けた機器本体と、この空気吸込口には通気面部を有し送風ファンが取り付けられたファンガードを備え、更にこのファンガードの外方には、脱臭フィルターを上方に、除菌フィルターを下方に、それぞれ通気面部との間には空気の流通隙間を形成して設けたものである。
【０００７】
これにより、温風暖房を行いながら室内の脱臭、又は除菌、或いはその両方が行え極めて便利であり、しかも脱臭フィルター、又は除菌フィルター、或いはその両方は、ファンガードの通気面部との間には空気の流通隙間を形成して設けられているので、万一フィルターにゴミやホコリが詰まったりしても、送風は流通隙間を通って供給され、流通量が減少したり止まることがなく、温風は通常通りに行われ熱気がこもって器具本体が焼損する心配がなく安心して使用出来ると共に、使用者に頻繁なフィルターの掃除をしいる必要もなく極めて使用勝手が良いものである。
【０００８】
又請求項３によれば、脱臭フィルターを光再生触媒で構成したことで、定期的に天日に干して直射日光を当てることで再生するので、半永久的に使用出来て極めて便利であり、且つ経済的でもある。
【０００９】
又請求項４によれば、除菌フィルターを酵素を含浸させた濾紙で構成したことで、簡単な構成でありながら、容易に空気中の菌の除菌が行われ、このフィルターも半永久的に使用が可能で経済的である。
【００１０】
又請求項５によれば、脱臭フィルターと除菌フィルターの２つを合わせた面積は、ファンガードの通気面部面積の半分以下としたことで、温風用の送風量は確実に確保出来、しかも流通隙間を有することから、更に確実に温風暖房は行われ安心して使用出来るものである。
【００１１】
【発明の実施の形態】
次にこの発明に係る温風暖房装置を図面に示された一実施形態で説明する。
１は温風機器本体で、２は前面上部に備えられた操作部、３は温風を案内するルーバ４が取り付けられた温風吹出口、５は背面の空気吸込口６にファンガード７を介して取り付けられた送風ファン、８は前記空気吸込口６と温風吹出口３とを連通する送風経路、９は前記送風経路８内にバーナヘッド１０を突出して設けられたバーナ部、１１は前記バーナヘッド１０を囲堯して燃焼空間を形成する燃焼筒、１２は前記送風経路８内で前記燃焼筒１１の真上に配設された遮熱板である。
【００１２】
前記機器本体１の外装体は、前面を覆う前パネル１３と、上面を覆う上面板１４と、側面及び背面を覆う背面板１５とを置き台１６の上に固定して構成されている。
【００１３】
次に１７は灯油などの液体燃料を供給するカートリッジ式タンク、１８はこのカートリッジ式タンク１７からの燃料を一時的に溜め置く固定タンク、１９は固定タンク１８内の燃料量が所定量以下になるとオンするフロートスイッチ、２０は固定タンク１８内の燃料を送油管２１及び送油ノズル２２を介してバーナ部９へ圧送する電磁ポンプ、２３は燃焼用空気を送風管２４を介して送風する燃焼ファンである。
【００１４】
２５は液体燃料を気化する気化器、２６は前記気化器２５を燃料が気化可能な温度まで加熱する気化ヒータ、２７は前記気化器２５の温度を検知する気化温度センサ、２８はバーナヘッド８の外周に設けられた炎孔網、２９は燃焼熱を気化器２５へ回収する熱回収リング、３０は気化ガスにスパーク放電して点火する点火器、３１は炎の状態を監視するフレームロッドである。
【００１５】
３２は負イオン発生手段で、３本の放電針３３を横に並設し温風吹出口３上部で温風の流れが殆どない場所に下向きに取り付けられた電極ユニット３４と、該電極ユニット３４に直流高電圧を供給することで放電針３３先端より負イオンを発生させる電源ユニット３５と、この電極ユニット３４と電源ユニット３５とを結ぶ高電圧コ−ド３６とから構成されており、電源ユニット３５はバ−ナ部９から離れ熱的影響を受けない操作部２の横に取り付けられている。
【００１６】
３７は前パネル１３から突設し最上部のル−バ４まで延びて横に広がったカバ−体で、幼児等が指を入れて放電針３３で怪我をしないように、指が入らないように密閉して電極ユニット３４を隠蔽すると共に、正面には発生した負イオンを温風の吸引力で室内に放出すかる為に横長のスリット３８が形成されている。
【００１７】
３９はファンガード７に複数のパンチング穴で形成された通気面部で、この通気面部３９の上方側には３個の係止穴４０で横長の脱臭フィルター４１が取り付けられ、下方側には同じく３個の係止穴４２で横長の除菌フィルター４３が取り付けられており、各フィルター４１、４３と通気面部３９との間にはそれぞれ５ｍｍ〜１０ｍｍの空気の流通隙間４４、４５が設けられ、各フィルター４１、４３がゴミやホコリで詰まってもこの流通隙間４４、４５を通って、室内空気は送風されて温風の送風には何らの影響も与えないものである。
【００１８】
前記脱臭フィルター４１は、特殊紙をコルゲート加工したハニカム形状フィルターを、酸化チタン：アセトアルデヒド吸着剤：ゼオライト＝８：３：３７の配合液に浸した光再生触媒４６を、合成樹脂で形成されたフィルターカバー４７に収納して構成されており、光再生触媒４６は空気中のタバコ臭やペット臭等の室内の嫌なニオイを吸着して脱臭するが、６ヶ月に１回約６時間程度直射日光に当てることで再び再生されて半永久的に使用されるものであり、又前記フィルターカバー４７には係止穴４０に係止する係止脚４８が設けられている。
【００１９】
一方前記除菌フィルター４３は、ポリプロピレンのネット上に酵素含浸紙をひだ折りして張り合わせた濾紙４９を、合成樹脂で形成されたフィルターカバー５０に収納して構成されており、この濾紙４９は補集した空気中のカビや細菌を天然酵素の溶菌作用で強力に除菌するものであり、又前記フィルターカバー５０には係止穴４２に係止する係止脚５１が設けられている。
【００２０】
更に前記脱臭フィルター４１及び除菌フィルター４３は、正面視の面積が各６０〜８０ｃｍ２で２つ合わせた面積は１２０〜１６０ｃｍ２に対して、ファンガード７の通気面部３９の面積は４８０〜６２４ｃｍ２であり、脱臭フィルター４１及び除菌フィルター４３の２つを合わせた面積は、通気面部３９の半分以下であるので、温風用の送風量は確実に確保出来、しかも流通隙間４４、４５を有することから、更に確実に温風暖房は行われ安心して使用出来るものである。
【００２１】
５１は前パネル１３のほぼ中央に備えられた機器本体１の作動状態をランプの発光色で表示するカラ−表示器で、機器本体１内に複数のランプを円状に配置したランプ部５２を設け、通常運転時は緑色の点灯、セ−ブ運転時は青色の点灯、給油が必要な時には赤色の点滅等を行うものである。
５３は負イオンの発生状態を表示するイオン発生表示部で、負イオンの発生時に点灯する青色ランプ５４の青色を表示するものである。
【００２２】
５５はこの機器本体１の制御を行う制御装置であって、マイコン（図示せず）を中心に構成されており、入力側には各種のセンサ−等が接続すると共に、出力側には各種の駆動部品が接続し、この内電磁ポンプ２０への駆動開始及び停止信号を発信すると同時に、負イオン発生手段３２の電源ユニット３５にも駆動開始及び停止信号を発信するものである。５６は前記操作部２に設けられた操作部基盤であり、操作部２に設けられた各種スイッチや表示ランプがこの操作部基盤５６を介して前記制御装置５５に接続されている。
【００２３】
５７は運転開始からの時間をカウントして所定時間（３時間）経過すると自動消火させる消し忘れタイマー手段で、通常運転モードを構成するものであり、５８は予め設定されたタイマー時刻に機器の運転を開始させ、運転開始から所定時間（１時間）経過すると自動消火させるおはようタイマー手段で、５９は残り燃料量が所定量以下になると前記電磁ポンプ２０の駆動パルス数をカウント開始し、このカウントしたパルス数が所定値以上になると自動消火させる燃料切れ消火手段である。尚、この燃料切れ消火手段５９は、残り燃料量が所定量以下になってから一定時間の経過で自動消火させるものや、残り燃料量が前記の所定量より少ない第２の所定量以下になったことをを第２のフロートスイッチにより検知して自動消火させるものでも良い。
【００２４】
６０は通常運転モード以外の運転モードを構成するセーブ運転手段で、サーミスタから成る室温センサ６１により検出される室温と、アップスイッチ６２とダウンスイッチ６３から成る設定温度手段６４によって任意に設定される設定温度とを比較して、室温が設定温度より３℃高くなると燃焼を自動的に消火させ、そして室温が設定温度より０．３℃以下に低下することで自動的に燃焼開始させ、燃料の無駄な消費を防止した省エネルギーの運転を可能としたものである。
【００２５】
前記操作部２には機器の運転／停止を指示する運転スイッチ６５と、前記消し忘れタイマー手段５７のカウント時間をリセットして再度所定時間（３時間）のカウントを開始させる延長スイッチ６６と、前記通常運転モードの消し忘れタイマー手段５７の運転から、通常モード以外の運転モードであるセーブ運転手段６０による運転に切替るセーブ運転スイッチ６７と、前記おはようタイマー手段５８を動作させるタイマースイッチ６８と、押圧のＯＮ／ＯＦＦにより負イオン発生手段３２の負イオンの発生動作を停止及び送風ファン５と共に運転開始させるイオン入／切スイッチ６９と、セーブ運転中を表示するセーブ運転ランプ７０と、タイマー運転中を表示するタイマーランプ７１と、脱臭・除菌作動状態を表示する脱臭・除菌ランプ７２、運転状態では室温と設定温度を表示し、運転停止状態では時刻を表示し各種エラ−も表示する液晶表示器７３とが設けられている。７４は表示切替スイッチである。
【００２６】
次にこの発明一実施例の作動について説明する。
今運転スイッチ６５を押圧すれば、気化ヒ−タ２６が通電されて気化器２５の予熱が開始され、そしてこの気化器２５が燃油の気化可能温度に達したことを気化温度センサ２７が検知することで、制御装置５５から電磁ポンプ２０、燃焼ファン２３、点火器３０へそれぞれ駆動信号が出力されバ−ナ部９で予混合方式の燃焼が開始され、送風ファン５の駆動でこの燃焼熱が温風吹出口３から温風として放出され室内の暖房が行われる。
【００２７】
又制御装置５５から電磁ポンプ２０への駆動信号と同時に負イオン発生装置３２にも該制御装置５５から駆動信号が出力され、放電針３３から約３，０００〜５，０００個／ＣＣの負イオンが発生し、この負イオンはバ−ナ部９での燃焼で発生する負イオンと正イオンのうち正イオンと温風吹出口３付近で結合し、室内のイオンバランスを負イオンの方が正イオンより３，０００〜７，０００個／ＣＣ多くなる状態とするものである。
更に燃焼カロリ−でも相違するが、最高カロリ−が２，７５０キロカロリ−／ｈのもので、強火力では約４，０００個／ＣＣ負イオンを多くし、弱火力では約６，０００個／ＣＣ負イオンが多いものである。
【００２８】
一方暖房運転の停止は、運転スイッチ６５を再び押圧すれば、制御装置５５によって気化ヒ−タ２６、電磁ポンプ２０、燃焼ファン２３、送風ファン５等の駆動部品への通電を停止することで、バ−ナ部９の燃焼は消火され温風暖房も停止されるものであり、又この電磁ポンプ２０の駆動停止と同期して制御装置５５からの駆動停止信号で負イオン発生手段３２も駆動停止され、負イオンの発生が停止されるものである。
【００２９】
従って、従来より燃焼で発生する正イオンと負イオンは同数でバランスが取れていたものであり、又人工的に発生させたイオン自体も数秒で消滅するので、環境や人への影響は何ら考えていなかったが、これを負イオン発生装置３２によって燃焼時に発生する正イオンを積極的に減らして、室内のイオンバランスを負イオンが多い状態とすることで、滝の近くで感じるさわやかで爽快な感じが得られ、疲労回復に良くイライラ感を解消出来るようにしたものである。
【００３０】
更に上記暖房運転時には、送風ファン５の駆動によって室内空気がファンガード７の通気面部３９より機器本体１内に流入することで、脱臭フィルター４１及び除菌フィルター４３を室内空気が流通し、ファンガード７の上方側の脱臭フィルター４１では、空気中のタバコ臭やペット臭等のニオイの元を、脱臭フィルター４１中のアセトアルデヒド吸着剤、ゼオライト成分が吸着して脱臭するものであり、又この脱臭フィルター４１は消火時の臭気低減の為に、送風ファン５が一旦する数十秒間に、ファンガード７の上方側に備えられていることで、未燃ガスも通過させてこの臭気成分も吸着して消火時の臭気も低減するもので、その後冷却の為に再び送風ファン５が駆動すれば脱臭フィルター４１も再び室内空気の脱臭を再開するものであり、又この脱臭フィルター４１は光再生触媒４６で構成されているので、光再生触媒４６をフィルターカバー４７から取り出して直射日光に当てることで、酸化チタン成分が吸着された臭気成分を溶解して吸着能力を再生させ、半永久的に使用出来るようにするものである。
【００３１】
又暖房時にはファンガード７の下方側に備えられた除菌フィルター４３中も室内空気が流通することで、濾紙４９で捕集した空気中のカビや細菌を天然酵素の溶菌作用で強力に除菌して、室内空気を菌のない良好な状態にすることが出来るものであり、この２つのフィルター４１、４３によって、室内暖房と共に室内空気の脱臭と除菌が同時に行え、クリーンな空気を提供して快適空間を得ることが出来るものである。
【００３２】
更に脱臭フィルター４１及び除菌フィルター４３は、それぞれ取り付けられているファンガード７の通気面部３９との間には空気の流通隙間４４、４５が設けられているので、各フィルター４１、４３がゴミやホコリで目詰まりを起こしても、温風用の室内空気はこの流通隙間４４、４５を介して流入され、温風量の減少や機器本体１内の温度上昇で該機器本体１自体が焼損すると言う異常事態を引き起こすことがなく、各フィルター４１、４３の掃除をこまめにしなくても、通常の温風暖房は何ら支障なく行われ、常に安心して使用出来るものである。
勿論、各フィルター４１、４３の掃除を定期的に行えば、上記の通り暖房と共に室内空気の脱臭及び除菌が常に同時に行えるものである。
【００３３】
又ここでは空気中に負イオンが放射されていることで、空気中のニオイ成分や細菌に負イオンが付着し、脱臭フィルター４１及び除菌フィルター４３への付着量が倍増して、脱臭及び除菌能力が上がって、短時間に室内空気をクリーンな状態にすることが出来るものである。
【００３４】
尚、この一実施形態では、脱臭フィルター４１と除菌フィルター４３の２つのフィルターを備えたものを説明したが、このに限定されることなく、例えばどちらか一方のフィルターでも良いものである。
【００３５】
【発明の効果】
以上のようにこの発明によれば、温風暖房を行いながら室内の脱臭、又は除菌、或いはその両方が行え極めて便利であり、しかも脱臭フィルター、又は除菌フィルター、或いはその両方は、ファンガードの通気面部との間には空気の流通隙間を形成して設けられているので、万一フィルターにゴミやホコリが詰まったりしても、送風は流通隙間を通って供給され、流通量が減少したり止まることがなく、温風は通常通りに行われ熱気がこもって器具本体が焼損する心配がなく安心して使用出来ると共に、使用者に頻繁なフィルターの掃除をしいる必要もなく極めて使用勝手が良いものである。
【００３６】
又請求項３によれば、脱臭フィルターを光再生触媒で構成したことで、定期的に天日に干して直射日光を当てることで再生するので、半永久的に使用出来て極めて便利であり、且つ経済的でもある。
【００３７】
又請求項４によれば、除菌フィルターを酵素を含浸させた濾紙で構成したことで、簡単な構成でありながら、容易に空気中の菌の除菌が行われ、このフィルターも半永久的に使用が可能で経済的である。
【００３８】
又請求項５によれば、脱臭フィルターと除菌フィルターの２つを合わせた面積は、ファンガードの通気面部面積の半分以下としたことで、温風用の送風量は確実に確保出来、しかも流通隙間を有することから、更に確実に温風暖房は行われ安心して使用出来るものである。
【図面の簡単な説明】
【図１】この発明の一実施例を示す温風暖房装置の斜視図。
【図２】同温風暖房装置の概略断面図。
【図３】同前パネルを取り外した状態の正面図。
【図４】同燃焼部の概略説明図。
【図５】同各フィルターを備えたファンガードの正面図。
【図６】同各フィルターを取り外した状態のファンガードの正面図。
【図７】同脱臭フィルターの分解斜視図。
【図８】同除菌フィルターの分解斜視図。
【図９】同電気回路のブロック図。
【符号の説明】
１  温風機器本体
３  温風吹出口
５  送風ファン
６  空気吸込口
７  ファンガード
８  送風経路
９  バ−ナ部
３９  通気面部
４１  脱臭フィルター
４３  除菌フィルター
４４、４５  流通隙間
４６  光再生触媒
４９  濾紙
【図１】
2005003228.tif 000003
【図２】
2005003228.tif 000004
【図３】
2005003228.tif 000005
【図４】
2005003228.tif 000006
【図５】
2005003228.tif 000007
【図６】
2005003228.tif 000008
【図７】
2005003228.tif 000009
【図８】
2005003228.tif 000010
【図９】
2005003228.tif 000011